(57)【要約】【課題】表示面に表示される画像に対する操作の操作性を向上させた表示制御装置、プロジェクター、及び、プロジェクターの制御方法を提供する。【解決手段】表示制御装置１０は、画像光４３によりスクリーンＳＣに画像を表示する投射部３０と、画像光４３を遮蔽する、開閉可能なレンズシャッター４２と、レンズシャッター４２の開閉を検出する開閉検出部１０３Ａと、開閉検出部１０３Ａにより、レンズシャッター４２が閉じられたことを検出した際に、次にレンズシャッター４２が開かれた場合にスクリーンＳＣに表示する画像を変更する制御情報を出力する制御部１０３と、を備えた。【選択図】図１
2014119530.tif 000002
【特許請求の範囲】
【請求項１】
画像光により表示面に画像を表示する表示部と、
前記画像光を遮蔽する、開閉可能なシャッター機構と、
前記シャッター機構の開閉を検出する開閉検出部と、
前記開閉検出部により、前記シャッター機構が閉じられたことを検出した際に、次に前記シャッター機構が開かれた場合に前記表示面に表示する画像を変更する制御情報を出力する制御部と、
を備えたことを特徴とする表示制御装置。
【請求項２】
請求項１に記載の表示制御装置であって、
前記表示面における指示体の指示位置を検出する位置検出ユニットと、
前記位置検出ユニットにより検出された前記指示位置に基づいて画像を描画する描画部と、
前記描画部が描画した画像を、前記表示部により前記表示面に表示された基画像に重畳して表示させる表示制御部と、を備え、
前記制御部は、前記開閉検出部により前記シャッター機構が閉じられたことが検出された際に、前記表示部により前記基画像のみを前記表示面に表示させる制御情報を出力する
ことを特徴とする表示制御装置。
【請求項３】
請求項２に記載の表示制御装置であって、
前記表示制御部は、前記シャッター機構が再び閉じられて開かれた場合に、前記表示部により、前記シャッター機構を閉じて開く操作に応じて前記表示面から消去された重畳画像を再表示させることを特徴とする表示制御装置。
【請求項４】
光源が発した光を変調して表示面に投射するプロジェクターであって、
画像光により前記表示面に画像を表示する表示部と、
前記画像光を遮蔽する、開閉可能なシャッター機構と、
前記シャッター機構の開閉を検出する開閉検出部と、
前記開閉検出部により、前記シャッター機構が閉じられたことを検出した際に、次に前記シャッター機構が開かれた場合に前記表示面に表示する画像を変更する制御情報を出力する制御部と、を備えた
ことを特徴とするプロジェクター。
【請求項５】
請求項４に記載のプロジェクターであって、
前記表示面における指示体の指示位置を検出する位置検出ユニットと、
前記位置検出ユニットにより検出された前記指示位置に基づいて画像を描画する描画部と、
前記描画部が描画した画像を、前記表示部により前記表示面に表示された基画像に重畳して表示させる表示制御部と、を備え、
前記制御部は、前記開閉検出部により前記シャッター機構が閉じられたことが検出された際に、前記表示部により前記基画像のみを前記表示面に表示させる制御情報を出力する
ことを特徴とするプロジェクター。
【請求項６】
画像光により表示面に画像を表示する表示ユニットと、前記画像光を遮蔽する、開閉可能なシャッター機構と、を備えたプロジェクターの制御方法であって、
前記シャッター機構が閉じられたことを検出し、次に前記シャッター機構が開かれた場合に前記表示面に表示する画像を変更する制御情報を出力させる
ことを特徴とするプロジェクターの制御方法。
【発明の詳細な説明】
【技術分野】
【０００１】
本発明は、表示面に表示される画像を制御する表示制御装置、表示面に画像を表示するプロジェクター、及び、プロジェクターの制御方法に関する。
【背景技術】
【０００２】
従来、プロジェクター等の表示装置が表示する画像上でユーザーが位置入力操作を行った場合に、指示位置を検出して、指示位置の軌跡を示す画像を描画するシステムが知られている（例えば、特許文献１参照）。
【先行技術文献】
【特許文献】
【０００３】
【特許文献１】特開２０１１−０２８６２９号公報
【発明の概要】
【発明が解決しようとする課題】
【０００４】
ところで、位置入力操作によって描画された画像を含む、表示面に表示される画像を操作する手段としては、表示面に画像として表示されているツールボックス上のアイコンを操作して行う手段が一般的であるが、この描画を操作する際の操作性の向上が求められていた。
本発明は、上述した従来の技術が有する課題を解消し、表示面に表示される画像に対する操作の操作性を向上させた表示制御装置、プロジェクター、及び、プロジェクターの制御方法を提供する。
【課題を解決するための手段】
【０００５】
上記目的を達成するために、本発明は、画像光により表示面に画像を表示する表示部と、前記画像光を遮蔽する、開閉可能なシャッター機構と、前記シャッター機構の開閉を検出する開閉検出部と、前記開閉検出部により、前記シャッター機構が閉じられたことを検出した際に、次に前記シャッター機構が開かれた場合に前記表示面に表示する画像を変更する制御情報を出力する制御部と、を備えたことを特徴とする表示制御装置を提供する。
この構成によれば、ユーザーがシャッター機構を開閉させる操作に連動させて、表示面に表示する画像を変更することができ、表示面に表示される画像に対する操作の操作性を向上することができる。
【０００６】
また、本発明は、上記表示制御装置において、前記表示面における指示体の指示位置を検出する位置検出部と、前記位置検出部により検出された前記指示位置に基づいて画像を描画する描画部と、前記描画部が描画した画像を、前記表示部により前記表示面に表示された基画像に重畳して表示させる表示制御部と、を備え、前記制御部は、前記開閉検出部により前記シャッター機構が閉じられたことが検出された際に、前記表示部により前記基画像のみを前記表示面に表示させる制御情報を出力することを特徴とする。
この構成によれば、シャッター機構の開閉操作に連動させて、指示体による操作によって描画された画像を、表示面から消して、基画像のみを表示面に表示させることができる。これにより、簡単な操作で表示面に表示する画像を変更することができ、表示面に表示される画像に対する操作の操作性を向上させることができる。
【０００７】
また、本発明は、上記表示制御装置において、前記表示制御部は、前記シャッター機構が再び閉じられ開かれた場合に、前記表示部により前記シャッター機構を閉じて開く操作に応じて前記表示面から消去された重畳画像を再表示させることを特徴とする。
この構成によれば、シャッター機構を閉じて開く操作をした後に、再び閉じて開くという簡単な操作に連動させて、表示面から消去された、指示体による操作によって描画された重畳画像を再表示させることができる。このため、簡単な操作で表示面に表示する画像を変更することができ、表示面に表示される画像に対する操作の操作性を向上させることができる。
【０００８】
また、上記目的を達成するために、本発明は、光源が発した光を変調して表示面に投射するプロジェクターであって、画像光により前記表示面に画像を表示する表示部と、前記画像光を遮蔽する、開閉可能なシャッター機構と、前記シャッター機構の開閉を検出する開閉検出部と、前記開閉検出部により、前記シャッター機構が閉じられたことを検出した際に、次に前記シャッター機構が開かれた場合に前記表示面に表示する画像を変更する制御情報を出力する制御部と、を備えたことを特徴とするプロジェクターを提供する。
この構成によれば、ユーザーがシャッター機構を開閉させる操作に連動させて、表示面に表示する画像を変更することができる。このため、表示面に表示される画像に対する操作の操作性を向上することができる。
【０００９】
また、本発明は、上記プロジェクターにおいて、前記表示面における指示体の指示位置を検出する位置検出部と、前記位置検出部により検出された前記指示位置に基づいて画像を描画する描画部と、前記描画部が描画した画像を、前記表示部により前記表示面に表示された基画像に重畳して表示させる表示制御部と、を備え、前記制御部は、前記開閉検出部により前記シャッター機構が閉じられたことが検出された際に、前記表示部により前記基画像のみを前記表示面に表示させる制御情報を出力することを特徴とする。
この構成によれば、ユーザーがシャッター機構を閉じて開く操作に連動させて、指示体による操作によって描画された画像を、表示面から消して、基画像のみを表示面に表示させることができる。このため、簡単な操作で表示面に表示する画像を変更することができ、表示面に表示される画像に対する操作の操作性を向上することができる。
【００１０】
また、上記目的を達成するために、本発明は、画像光により表示面に画像を表示する表示ユニットと、前記画像光を遮蔽する、開閉可能なシャッター機構と、を備えたプロジェクターの制御方法であって、前記シャッター機構が閉じられたことを検出し、次に前記シャッター機構が開かれた場合に前記表示面に表示する画像を変更する制御情報を出力させることを特徴とするプロジェクターの制御方法を提供する。
この構成によれば、シャッター機構を閉じて開く操作に連動させて、表示面に表示する画像を変更することができ、表示面に表示される画像に対する操作の操作性を向上することができる。
【発明の効果】
【００１１】
本発明によれば、シャッター機構を閉じて開く操作に連動させて、表示面に表示する画像を変更することができ、表示面に表示される画像に対する操作の操作性を向上することができる。
【図面の簡単な説明】
【００１２】
【図１】本発明の実施形態に係る表示制御装置を構成する各部の機能ブロック図である。
【図２】表示制御装置の動作を示すフローチャートである。
【図３】表示面の表示状態を示す図であり、（Ａ）シャッター機構を閉じる前の表示面の状態を示す図、（Ｂ）はシャッター機構を閉じた際の表示面の状態を示す図、（Ｃ）はシャッター機構を開いた際の表示面の状態を示す図である。
【図４】表示制御装置の別の動作を示すフローチャートである。
【図５】表示面の表示状態を示す図であり、（Ａ）シャッター機構を閉じる前の表示面の状態を示す図、（Ｂ）はシャッター機構を閉じた際の表示面の状態を示す図、（Ｃ）はシャッター機構を開いた際の表示面の状態を示す図、（Ｄ）はシャッター機構を再び閉じた際の表示面の状態を示す図、（Ｅ）はシャッター機構を再び開いた際の表示面の状態を示す図である。
【発明を実施するための形態】
【００１３】
以下、図面を参照して本発明を適用した実施形態について説明する。
図１は、実施形態に係る表示制御装置１０を構成する各部の機能ブロック図である。表示制御装置１０は、表示装置としてのプロジェクター１１を備える。プロジェクター１１は、画像供給部としてのＰＣ（Personal Computer）１３に画像信号ケーブル等により有線、または、無線接続されている。ＰＣ１３は、不図示のモニターを有し、例えば、モニターに表示中の画像と同じ画像の画像データをプロジェクター１１に出力する。
プロジェクター１１は、入力された画像データに基づいて、投射面（表示面）としてのスクリーンＳＣに表示画像を投射する。ＰＣ１３から入力される画像データは動画像（映像）データおよび静止画像データのいずれであってもよく、プロジェクター１１は入力される画像データに基づき動画像および静止画像のいずれも投射できる。また、プロジェクター１１は、画像データを伝送する画像信号ケーブル等とは別に、ＵＳＢケーブルやＬＡＮケーブル等の制御信号伝送用の通信回線によりＰＣ１３に接続され、この通信回線を介してＰＣ１３との間で制御データ等を送受信する。なお、制御信号伝送用の通信回線として無線通信回線を用いることも可能である。また、ＰＣ１３とプロジェクター１１とを接続する１本のケーブルに、画像データと、制御データとを重畳して伝送する構成としてもよい。
投射面（表示面）としては、壁面や床面に設置された幕または平板の他、壁面自体を使用してもよい。
【００１４】
また、プロジェクター１１には、図示は省略するが、画像供給部として、複数のＰＣ１３の他に、ＤＶＤプレーヤーやビデオレコーダー等の画像供給装置を接続することもできる。また、プロジェクター１１は、画像供給部を内蔵している構成であってもよい。すなわち、プロジェクター１１が内蔵する回路により、プロジェクター１１が投射する画像データを生成する構成であってもよい。
プロジェクター１１は、一つの画像供給装置から入力された画像データに基づく画像をスクリーンＳＣに表示するシングル画面表示、および、複数の画像供給装置から入力された画像データを、それぞれスクリーンＳＣに表示させるマルチ画面表示を実行できる。
【００１５】
表示制御装置１０では、スクリーンＳＣ上で、指示体７０を用いて位置指示操作を行うことが可能である。指示体７０は、例えばペン型のデバイスであり、ユーザーは、指示体７０を手に持って、先端をスクリーンＳＣに押しつけるように使用する。指示体７０の先端には押圧操作を検出する操作スイッチ７２が設けられ、ユーザーが指示体７０の先端をスクリーンＳＣに押し付けた場合に、操作スイッチ７２がオンになる。
プロジェクター１１は、指示体７０の先端位置（指示位置）の座標を検出し、検出した指示位置の座標を示す制御データを、プロジェクター１１内部の回路により処理して、例えば検出した指示位置の座標に基づいて画像を描画する等の処理を行うことができる。また、プロジェクター１１は、検出した指示体７０の指示位置の座標を示す制御データをＰＣ１３に出力することもできる。
【００１６】
表示制御装置１０は、ユーザーが指示体７０により行った位置指示操作を受け付けて、この操作をスクリーンＳＣに表示された画像に反映させる、インターラクティブホワイトボードシステム機能を備える。具体的には、表示制御装置１０は、ユーザーが行った位置指示操作を検出した場合に、指示位置に従って直線、曲線、多角形などの図絵を描画し、描画した図形をスクリーンＳＣに投射する。表示制御装置１０は、何らかの基画像２００（図３参照）をスクリーンＳＣに投射した状態で、この基画像２００に重畳するように描画像（重畳画像）２１０を描画することができ、何も画像を投射しない状態に移行してから画像の描画を開始することもできる。また、この機能により描画された画像は、画像データとして保存することが可能であり、描画された画像のみを画像データとして保存することも、および、描画時にスクリーンＳＣに投射されていた投射画像とともに一つの画像データとして保存することもできる。
【００１７】
ここで、表示制御装置１０は、指示体７０の指示位置に従って画像を生成し、プロジェクター１１により投射させる機能を、プロジェクター１１が実行する「ＰＪモード」、および、ＰＣ１３が実行する「ＰＣモード」のいずれも実行可能である。「ＰＪモード」では、プロジェクター１１が指示体７０の指示位置を検出し、検出した指示位置に従って画像を生成し、スクリーンＳＣに投射する。「ＰＣモード」では、プロジェクター１１が指示体７０の指示位置を検出して、検出した指示位置をＰＣ１３に出力し、ＰＣ１３が入力された指示位置に従って画像を生成して、生成した画像をプロジェクター１１に出力し、スクリーンＳＣに投射する。
【００１８】
プロジェクター１１は、ＰＣ１３から入力される画像データに基づいて、スクリーンＳＣに画像を表示するための画像処理を実行する画像処理ユニット１１０と、画像処理ユニット１１０によって処理された画像をスクリーンＳＣに投射する投射ユニット３と、スクリーンＳＣ上の指示体７０の指示位置を検出する位置検出ユニット１５０と、これらの各部を制御する制御部１０３と、を備えている。
制御部１０３は、図示しないＣＰＵ、不揮発性メモリー、ＲＡＭ等により構成され、制御部１０３に接続された記憶部１０５に記憶されている制御プログラム１０５Ａを読み出して実行し、プロジェクター１１の各部を制御する。また、制御部１０３は、記憶部１０５に記憶された制御プログラム１０５Ａを実行することで、スクリーンＳＣ上における画像の座標と、ＰＣ１３から入力された画像データ上の座標との対応関係（座標変換パラメーター）を求め、キャリブレーションを実行する。キャリブレーションは、基本的に、プロジェクター１１単体で行われ、プロジェクター１１は、座標変換パラメーターを取得して、マニュアル、または、オートで実投射領域の座標系と、撮影画像の座標系との対応付けを行う。プロジェクター１１は、座標算出の際には、取得した座標変換パラメーターに基づいて、撮影画像上の位置を実投射領域上の位置へと変換する。プロジェクター１１は、ＰＣ１３から入力された画像データ上の座標と、実投射領域上の座標との変換については、ＰＣ１３から入力された画像の解像度及び実投射領域上の表示位置の情報に基づいて行う。記憶部１０５は、磁気的、光学的記録装置または半導体記憶素子により構成され、制御プログラム１０５Ａを含む各種プログラム、及び、各種設定値等のデータを記憶する。
【００１９】
制御部１０３には、操作部としての操作パネル４１、及び、操作部としてのリモコンの操作を検出するリモコン受光部４５が接続されている。
操作パネル４１は、各種スイッチ及びインジケーターランプを備え、プロジェクター１１の外装筐体（図示略）に配置されている。操作パネル４１のスイッチが操作されると、操作されたスイッチに対応する操作信号が制御部１０３に出力される。
リモコン受光部４５は、プロジェクター１１を操作する操作者としてのユーザーが使用するリモコン（図示略）がボタン操作に対応して送信した赤外線信号を受光する。リモコン受光部４５は、上記リモコンから受光した赤外線信号を復調およびデコードし、リモコンにおける操作を示す操作信号を制御部１０３に出力する。
なお、プロジェクター１１の操作は、指示体７０、操作パネル４１およびリモコンの他、ＰＣ１３によっても実行できる。この場合、ＰＣ１３はプロジェクター１１を操作するための制御データを出力し、操作部として機能する。
制御部１０３は、操作パネル４１、リモコン受光部４５から入力される操作信号に基づいて、ユーザーの操作を検出し、この操作に従ってプロジェクター１１を制御する。
【００２０】
投射部（表示部）３０は、照明光学系３１、光変調装置３２、及び投射光学系３３を備えて構成される。照明光学系３１は、キセノンランプ、超高圧水銀ランプ、ＬＥＤ（Light Emitting Diode）等からなる光源を備える。また、照明光学系３１は、光源が発した光を光変調装置３２に導くリフレクター及び補助リフレクター、画像光４３の光学特性を高めるためのレンズ群（図示略）、偏光板、或いは光源が発した光を減光させる調光素子等を備えていてもよい。
光変調装置３２は、照明光学系３１からの光を変調して画像光４３を形成する。本実施形態では、透過型液晶パネルを用いて光変調装置３２を構成した場合を例に挙げる。この構成では、光変調装置３２はＲＧＢの三原色に対応した３枚の液晶パネルを有し、照明光学系３１が発した光はＲＧＢの３色の色光に分離され、各色光が対応する各液晶パネルに入射する。各液晶パネルを通過して変調された色光はクロスダイクロイックプリズム等の合成光学系によって合成され、投射光学系３３に射出される。
【００２１】
投射光学系３３は、投射する画像の拡大・縮小および焦点の調整を行うレンズまたはレンズ群と、レンズを駆動してズームの度合いを調整するズーム調整用モーターおよびフォーカスの調整を行うフォーカス調整用モーター等を備える。
投射ユニット３は、投射部３０とともに、投射光学系駆動部１２１、光変調装置駆動部１１９、及び、光源駆動部１１７を備えている。投射光学系駆動部１２１は、画像処理ユニット１１０の表示制御部１０７の制御に従って投射光学系３３が備える各モーターを駆動する。光変調装置駆動部１１９は、表示制御部１０７から出力される画像信号に基づいて光変調装置３２を駆動して描画を行う。光源駆動部１１７は、制御部１０３の制御に従って照明光学系３１が備える光源を駆動する。
【００２２】
投射光学系３３の前方には、投射部３０から投射される画像光４３を遮蔽するレンズシャッター（シャッター機構）４２が配置されている。レンズシャッター４２は、例えば、手動により、図中矢印方向にスライドさせて開閉可能に配置される。レンズシャッター４２は、通常、プロジェクター１１の投射時には完全に開放され、投射終了後に閉鎖される。プロジェクター１１の制御部１０３には、レンズシャッター４２が閉じられたことを検出する開閉検出部１０３Ａが備えられる。開閉検出部１０３Ａにより、投射中にレンズシャッター４２が閉じられたことを検出した場合には、制御部１０３の制御により、照明光学系３１の光源を消灯または減光する。
【００２３】
画像処理ユニット１１０は、ＰＣ１３に接続される画像入力部１０４を備えている。画像入力部１０４は、ＰＣ１３を含む各種画像供給装置が画像データを入力するインターフェイスであり、例えば、ＤＶＩインターフェイス、ＵＳＢインターフェイス、ＬＡＮインターフェイス、ＨＤＭＩ（登録商標）インターフェイス等の汎用インターフェイスを用いることができる。また、画像入力部１０４に、無線通信を利用して画像データを入力してもよい。また、画像入力部１０４が、アナログ映像信号をデジタル画像データに変換するＡ／Ｄ変換回路と、ＶＧＡ端子等のアナログ映像信号入力端子を備えていてもよい。また、画像入力部１０４がDisplayPort（商標）インターフェイスを備えていてもよく、この場合、プロジェクター１１は、ＰＣ１３や、ＰＣ１３と同等の機能を有する携帯型デバイスが備えるDisplayPortに接続することができる。
画像処理ユニット１１０は、画像入力部１０４を介して入力された画像データを処理する表示制御部１０７、および、表示制御部１０７の制御に従って画像をフレームメモリー１１５に展開し、投射部３０が投射する画像を生成する画像処理部（描画部）１１３を備えている。画像処理部１１３は、プロジェクター１１が内蔵する画像供給部として機能する。
【００２４】
表示制御部１０７は、画像入力部１０４を介して入力される画像データのフォーマット（フレームレート、解像度、圧縮状態）の判別等を行い、光変調装置３２に表示画像を表示するために必要な処理を決定し、画像処理部１１３を制御して当該処理を実行する。ここで実行される処理は、例えば、フレームレート変換、インターレース／プログレッシブ変換、解像度変換、圧縮された画像データの伸張処理、立体画像データのフォーマット変換等である。画像処理部１１３は、表示制御部１０７の制御に従って、画像入力部１０４に入力された画像データをフレームメモリー１１５に展開し、上述したような各種処理を実行する。画像処理部１１３はフレームメモリー１１５に描画した処理後の画像に基づいて、この画像を表示するための所定フォーマットの画像信号を生成し、表示制御部１０７に出力する。表示制御部１０７は、画像処理部１１３が生成した画像信号を光変調装置駆動部１１９に出力する。
【００２５】
また、画像処理部１１３は、表示制御部１０７の制御に従って、キーストーン補正、カラーモードに対応した色調補正、画像の拡大／縮小処理等の各種の画像処理を実行することも可能である。すなわち、制御部１０３が、操作パネル４１またはリモコン受光部４５から入力された操作信号に基づいて、表示制御部１０７に対し、キーストーン補正の実行、表示画像の拡大／縮小処理を実行させる。表示制御部１０７は、キーストーン補正や表示画像の拡大／縮小処理に必要な各種パラメーターを算出し、画像処理部１１３を制御して、キーストーン補正や表示画像の拡大／縮小処理を実行する。
【００２６】
また、画像処理部１１３は、ＰＪモードにより指示体７０の指示位置に従って描画を行う場合、位置検出ユニット１５０から入力される座標に基づいて、描画像２１０（図３参照）等の図形を描画する処理を行う。画像処理部１１３は、描画した画像をフレームメモリー１１５に展開し、同様にフレームメモリー１５に展開した基画像２００上に描画像２１０を重畳させた画像をフレームメモリー１１５に展開する。そして、画像処理部１１３は、フレームメモリー１１５に展開した画像を表示制御部１０７に出力し、投射ユニット１２０によって投射させる。
【００２７】
ユーザーが操作する指示体７０は、上述した操作スイッチ７２と、操作スイッチ７２の操作状態（オン／オフ）を示す信号を出力する送信部７４とを備える。送信部７４は、例えば、ＩｒＤＡ規格に準拠した方式により操作スイッチ７２のオン／オフを示す赤外線信号を送信する。
指示体７０による指示位置は、上述のように位置検出ユニット１５０により検出される。なお、位置検出ユニット１５０は、１種類の指示体７０を検出する構成であっても良いし、或いは、複数種類の指示体７０、例えば、ペン型の操作デバイスおよびユーザーの指等、をいずれも検出できる構成であっても良い。位置検出ユニット１５０が複数種類の指示体７０を検出できる場合には、位置検出ユニット１５０は、指示体７０の種類を検出できる構成であっても良い。
位置検出ユニット１５０は、送信部７４が送信する信号に基づいて操作スイッチ７２の操作状態を検出する。また、位置検出ユニット１５０は、指示体７０の先端がスクリーンＳＣに接触しているか否かを検出して、指示体７０による位置指示操作を検出する構成であっても良い。
【００２８】
位置検出ユニット１５０による指示体７０の検出は、種々の手法を採用可能である。例えば、指示体７０が不図示の発光部を有し、指示体７０の先端がスクリーンＳＣに接触した際に、当該発光部が発光する構成であっても良い。そして、位置検出ユニット１５０は、指示体７０の発光部の発光位置を後述する撮像部１５３の撮影画像データ上で解析して、指示体７０の指示位置の座標を算出する構成であっても良い。この構成によれば、指示体７０の指示位置及び指示体７０のスクリーンＳＣへの接触／非接触の検出が可能となる。なお、指示体７０の発光部が射出する光は、可視光である構成でも良いし、或いは、赤外光等の非可視光である構成でも良い。指示体７０の発光部が非可視光を射出する場合には、撮像部１５３の前に赤外光だけを通す可視光カットフィルターを設ける構成であっても良い。
また、指示体７０は、先端がスクリーンＳＣに接触した際に発光部が発光する構成の他に、先端がスクリーンＳＣに接触している時と、接触していない時とで、発光部の明滅（発光／非発光）パターンを変える構成であっても良い。この構成によれば、指示体７０の指示位置及び指示体７０のスクリーンＳＣへの接触／非接触の検出が可能となる。また、この構成によれば、指示体７０の先端がスクリーンＳＣに接触していない状態で、指示体７０がスクリーンＳＣ上を移動する指示体７０のホバリング状態を検出することも可能となる。
【００２９】
位置検出ユニット１５０は、撮像部１５３、撮影制御部１５５、受信部１５４、及び、位置検出処理部１５７を有する位置検出部１５１と、位置検出部１５１が検出した指示位置の座標を算出する座標算出部１５９と、を備えている。
撮像部１５３は、投射光学系３３が画像光４３を投射する方向を撮影するようにプロジェクター１１に搭載されたデジタルカメラである。撮像部１５３は、撮影制御部１５５の制御に従って撮影を実行し、撮影画像データを出力する。撮影制御部１５５は、制御部１０３の制御に従って、撮像部１５３を制御して撮影を実行させる。撮像部１５３が撮影時のズーム倍率、フォーカス、絞りの調整を行う機構を有する場合、撮影制御部１５５は、これらの機構を制御して予め設定された条件で撮影を実行させる。撮影後、撮影制御部１５５は撮像部１５３が出力する撮影画像データを取得して、位置検出処理部１５７に出力する。撮像部１５３から出力される撮影画像データは、ＲＧＢやＹＵＶ等の形式で表されるものであっても良く、輝度成分のみを表すものであってもよい。撮像部１５３が可視光以外の光（例えば赤外光）を撮影する構成であってもよい。また、撮影制御部１５５は、撮像部１５３から出力される撮影画像データをそのまま位置検出処理部１５７へ出力してもよく、解像度の調整や所定のファイルフォーマット（ＪＰＥＧ、ＢＭＰなど）への変換等を行った上で位置検出処理部１５７へ出力してもよい。
【００３０】
受信部１５４は、指示体７０の送信部７４が送信した無線信号を受信して、操作スイッチ７２の操作状態を検出し、検出結果を示すデータを位置検出処理部１５７に出力する。位置検出処理部１５７は、撮像部１５３の撮影画像データに基づいて指示体７０の指示位置を検出し、受信部１５４から入力されるデータに基づいて操作スイッチ７２の操作状態を取得する。
なお、撮像部１５３が赤外光を受光して撮影を行い、送信部７４が赤外線信号を送信する構成とされた場合には、送信部７４が送信した赤外線信号を、撮影画像データに基づいて位置検出処理部１５７が検出することにより、受信部１５４を省略することができる。
【００３１】
位置検出処理部１５７は、撮影制御部１５５から入力される撮影画像データを解析することにより、指示体７０の先端の位置、すなわち指示体７０の指示位置を検出する。本実施形態では、撮影制御部１５５の制御により撮像部１５３が所定時間毎に撮影を実行し、位置検出処理部１５７は、撮影制御部１５５から所定時間毎に入力される撮影画像データに基づいて指示体７０の指示位置を検出し、操作スイッチ７２のオン操作を検出したときの指示位置を、操作スイッチ７２の操作時の指示位置として確定する。
座標算出部１５９は、位置検出処理部１５７が検出した指示体７０の指示位置の座標を算出する。座標算出部１５９が算出する座標は、指示体７０の指示位置の撮影画像データにおける座標であり、スクリーンＳＣの表示画像上に仮想的に設けられた座標軸における座標である。撮影画像データにおける座標は、プロジェクター１１とスクリーンＳＣとの距離、投射光学系３３におけるズーム率、プロジェクター１１の設置角度、撮像部１５３とスクリーンＳＣとの距離等の様々な要素の影響を受ける。一方、撮像部１５３の画角と投射光学系３３の投射範囲との位置関係、撮像部１５３の撮影倍率、投射光学系３３におけるズーム率等は既知であるため、座標算出部１５９は、撮影画像データとスクリーンＳＣに表示された表示可能領域５との対応関係を算出できる。この処理により、座標算出部１５９は、スクリーンＳＣの表示画像における指示位置の座標を算出して、座標データを出力する。また、座標算出部１５９は、位置検出処理部１５７が操作スイッチ７２のオン操作を検出したときの指示体７０の指示位置の座標データには、操作スイッチ７２がオンであることを示すデータを付加して出力する。
【００３２】
座標算出部１５９が出力する座標データは座標変換部１６０に入力される。座標変換部１６０は、制御部１０３の制御に従って座標データの変換を行う。座標データをＰＣ１３に出力する場合、座標変換部１６０は、座標算出部１５９から入力された座標データを、ＰＣ１３が画像入力部１０４に入力する画像データのフレームにおける座標を示す座標データに変換する。この変換処理は、ＰＣ１３が画像入力部１０４に入力する画像データの解像度や、画像処理部１１３により画像データに対して行った処理に基づいて実行される。また、座標データを画像処理ユニット１１０に出力する場合、座標変換部１６０は、座標算出部１５９から入力された座標データを、画像処理部１１３が描画する画像のフレームにおける座標を示す座標データへ変換する。つまり、座標変換部１６０は、外部接続された画像供給部であるＰＣ１３、および、プロジェクター１１が内蔵する画像供給部である画像処理ユニット１１０に対応する座標への変換を行うことが可能であり、座標データの出力先の画像供給部に対応する座標に変換する。
座標変換部１６０が座標を変換する処理において必要な情報としては、例えば、画像処理部１１３が描画する画像の画像データの解像度、アスペクト比、光変調装置３２の液晶表示パネルにおける表示サイズ、光変調装置３２の液晶表パネルにおいて画像が描画される位置等の情報がある。これらの情報は、制御部１０３の制御または座標変換部１６０の要求により、画像処理部１１３から座標変換部１６０に出力される。
座標変換部１６０は、画像処理ユニット１１０に対応して座標を変換した場合、変換後の座標データを画像処理部１１３に出力する。また、座標変換部１６０は、ＰＣ１３に対応して座標を変換した場合、変換後の座標データを出力部１０１に出力する。つまり、変換処理の際に制御部１０３により指定された画像供給部に対して、変換後の座標データを出力する。
【００３３】
出力部１０１は、座標変換部１６０が出力した変換後の座標データをＰＣ１３に出力するインターフェイスであり、例えば、ＵＳＢインターフェイス、ＬＡＮインターフェイス、ＩＥＥＥ１３９４等の汎用インターフェイスで構成され、有線通信、及び、無線通信のどちらであってもよい。ここで、画像入力部１０４と出力部１０１とを統合し、物理的に一つのインターフェイス（例えば、ＵＳＢインターフェイス）で出力部１０１と画像入力部１０４との両方の機能を実現してもよい。出力部１０１には複数のＰＣ１３が接続され、出力部１０１は、制御部１０３の制御により一つ以上のＰＣ１３を選択して、座標データを出力する。通常、出力部１０１は、画像入力部１０４に対して画像データを供給しているＰＣ１３を選択する。画像データを供給しているＰＣ１３が複数存在する場合、出力部１０１は、制御部１０３の制御に従って、これらＰＣ１３の中から一つ以上のＰＣ１３を出力先として選択する。
出力部１０１がＰＣ１３に出力する座標データは、各ＰＣ１３において、マウス、トラックボール、デジタイザー、或いはペンタブレット等のポインティングデバイスが出力する座標データと同様のデータとして入力される。
また、出力部１０１が、画像処理ユニット１１０が備える画像処理部１１３に接続され、座標変換部１６０が出力した変換後の座標データを画像処理ユニット１１０に出力してもよい。
【００３４】
ＰＣ１３において、出力部１０１から出力される座標データを汎用的なポインティングデバイスが出力する座標データと同等に扱う場合、これらの汎用的なポインティングデバイスに対応した汎用のデバイスドライバープログラムを利用できる。このような汎用のデバイスドライバープログラムは、通常、ＰＣ１３のＯＳ（オペレーティングシステム）の一部として予めインストールされているため、デバイスドライバープログラムのインストールを行うことなく利用できる。
このように汎用のデバイスドライバープログラムを利用する場合、専用のデバイスドライバープログラムが必要ないという利点があるが、プロジェクター１１とＰＣ１３との間でやり取りできる情報は、汎用のデバイスドライバープログラムの仕様で定められた範囲に限定される。そこで、プロジェクター１１に対応した専用のデバイスドライバープログラムをＰＣ１３にインストールして、このデバイスドライバープログラムによって出力部１０１が出力する座標データを処理してもよい。この場合、プロジェクター１１とＰＣとの間でやり取りできる情報は、専用のデバイスドライバープログラムの仕様に応じて任意に設定することができる。
【００３５】
ＰＣ１３は、ＰＣモードにより指示体７０の指示位置に従って描画を行う場合、出力部１０１から入力された座標データに基づいて、例えば線や図形を描画し、描画した線や図形を、プロジェクター１１に出力中の画像に重ねて新たな画像データを生成し、この画像データをプロジェクター１１に出力する。
画像処理部１１３は、座標変換部１６０または出力部１０１から入力される座標データに基づいて、フレームメモリー１１５に展開している基画像２００に重ねて、例えば線や図形を描画し、描画後の画像を表示するための画像信号を生成して光変調装置駆動部１１９に出力する。
これにより、表示制御装置１０では、ユーザーが指示体７０の操作によって位置指示操作を行うことにより、操作した位置に対応して、スクリーンＳＣに表示中の画像に重ねて図形等が描画され、描画像２１０が、基画像２００に重畳されて表示される。
【００３６】
次に、プロジェクター１１の動作について、図２〜図５を参照して説明する。
図２は、スクリーンＳＣに画像を表示中に、一旦レンズシャッター４２を閉じ、再びレンズシャッター４２を開く操作を行った際の、表示制御装置１０の動作を示すフローチャートである。図３は、レンズシャッター４２の開閉に伴ってスクリーンＳＣに表示される画像を示す図である。
投射部３０から投射される画像光４３によりスクリーンＳＣに画像を投射している際には、制御部１０３は、開閉検出部１０３Ａの機能により、レンズシャッター４２の開閉状態を検出する（ステップＳ１）。なお、制御部１０３は、投射部３０から画像光４３の投射を開始する際には、設定の初期化を行い、基画像２００に重畳される描画像２１０を消去したことを示すフラグ（描画消去済みフラグ）をＯＦＦにする。なお、描画像２１０の消去は、フレームメモリー１１５に展開された描画像を、フレームメモリー１１５から消して、基画像２００と描画像２１０との重畳表示を止めて、基画像２００のみを表示することで実現される。
続いて制御部１０３は、開閉検出部１０３Ａの機能により、レンズシャッター４２が閉じているか否かを判定する（ステップＳ２）。制御部１０３は、レンズシャッター４２が閉じていない、つまりレンズシャッター４２は開いていると判定した場合（ステップＳ２：Ｎｏ）には、描画消去済みを示すフラグをＯＦＦの初期化状態に設定し（ステップＳ６）、動作を終了する。
【００３７】
制御部１０３が、レンズシャッター４２が閉じていると判定した場合（ステップＳ２：Ｙｅｓ）には、続いて、制御部１０３は、描画消去済みを示すフラグがＯＦＦに設定されているか否かを判定する（ステップＳ３）。レンズシャッター４２が閉じていて、且つ、描画消去済みを示すフラグがＯＦＦではない（ステップＳ３：Ｎｏ）、つまり、描画が既に消去されていると判定した場合には、制御部１０３は、動作を終了する。
一方、レンズシャッター４２が閉じていて、且つ、描画消去済みを示すフラグがＯＦＦであると判定した場合には（ステップＳ３：Ｙｅｓ）、制御部１０３は、基画像２００に重畳して表示された描画像２１０を消去する（ステップＳ４）。続いて、制御部１０３は、描画消去済みを示すフラグをＯＮに設定して（ステップＳ５）、動作を終了する。
【００３８】
図３は、これらの制御部１０３の機能による表示制御装置１０の動作により、スクリーンＳＣに表示される画像の変化を示す図である。図３（Ａ）に示すように、表示制御装置１０は、指示体７０の指示位置に基づいて描画した描画像２１０を、表示制御部１０７の機能により、スクリーンＳＣに表示された基画像２００に重畳して表示させることができる。ユーザー操作により、レンズシャッター４２が閉じられると、投射部３０から投射される画像光４３が遮蔽されるため、図３（Ｂ）に示すように、スクリーンＳＣには画像が非表示の状態となる。
【００３９】
レンズシャッター４２が閉じられたことを開閉検出部１０３Ａの機能により検出すると、制御部１０３は、描画像２１０のみを消去した画像をフレームメモリー１１５に展開する制御情報を画像処理ユニット１１０に出力して、次にレンズシャッター４２が開かれた場合にスクリーンＳＣに表示する画像を変更する。なお、ＰＣ１３に指示体７０の指示位置の座標に基づく処理を実行させるＰＣインターラクティブモードを実行している際には、制御部１０３は、ＰＣ１３に出力部１０１を介して、次にレンズシャッター４２が開かれた場合にスクリーンＳＣに表示する画像を変更する制御情報を出力する構成であっても良い。このように、制御部１０３は、レンズシャッター４２を閉じる動作に連動させて、指示体７０の指示位置に基づいて描画した描画像２１０を消去し、次にレンズシャッター４２が開かれた際には、図３（Ｃ）に示すように、基画像２００のみがスクリーンＳＣに表示される。
この構成によれば、スクリーンＳＣに基画像２００と描画像２１０とを重畳表示している際に、レンズシャッター４２を一旦閉じて、再び開くという簡単な操作で、描画像２１０を消去した基画像２００のみを表示させることができる。これにより、例えば、表示制御装置１０のインターラクティブホワイトボードシステム機能を用いて、学校での授業中や、ビジネスの場においてのプレゼンテーション中に、基画像２００上に書き加えた情報だけを消して、基画像２００のみを再び表示したい場合に、当該操作を、レンズシャッター４２を閉じて開くという簡単な操作で行うことができ、表示制御装置１０の利便性を向上することができる。
【００４０】
次に、スクリーンＳＣに画像を表示中に、一旦レンズシャッター４２を閉じて開く操作を行い、再びレンズシャッター４２を閉じて開く操作を行った場合の表示制御装置１０の動作について説明する。図４は、表示制御装置１０の動作を示すフローチャートであり、図５は、レンズシャッター４２の開閉に伴ってスクリーンＳＣに表示される画像を示す図である。
投射部３０から投射される画像光４３によりスクリーンＳＣに画像を投射している際には、制御部１０３は、開閉検出部１０３Ａの機能により、レンズシャッター４２の開閉状態を検出する（ステップＳ１１）。なお、制御部１０３は、投射部３０から画像光４３の投射を開始する際には、設定の初期化を行い、基画像２００に重畳される描画像２１０が消去中であることを示すフラグ（描画消去中フラグ）、及び、レンズシャッター４２を閉じた際に行う所定の処理が処理済みであることを示すフラグ（シャッター閉時処理済みフラグ）をＯＦＦにする。
続いて制御部１０３は、開閉検出部１０３Ａの機能により、レンズシャッター４２が閉じているか否かを判定する（ステップＳ１２）。制御部１０３は、レンズシャッター４２が閉じていない、つまりレンズシャッター４２は開いていると判定した場合（ステップＳ１２：Ｎｏ）には、シャッター閉時処理済みを示すフラグをＯＦＦの初期化状態に設定し（ステップＳ２５）、動作を終了する。
【００４１】
制御部１０３が、レンズシャッター４２が閉じていると判定した場合（ステップＳ１２：Ｙｅｓ）には、続いて、制御部１０３は、シャッター閉時処理済みを示すフラグがＯＦＦに設定されているか否かを判定する（ステップＳ１３）。レンズシャッター４２が閉じていて、且つ、シャッター閉時処理済みを示すフラグがＯＦＦではない（ステップＳ１３：Ｎｏ）、つまり、シャッター閉時処理が既に処理済みであると判定した場合には、制御部１０３は、動作を終了する。
一方、レンズシャッター４２が閉じていて、且つ、シャッター閉時処理が処理済みではないと判定した場合には（ステップＳ１３：Ｙｅｓ）、制御部１０３は、続いて、描画消去中を示すフラグがＯＦＦに設定されているか否かを判定する（ステップＳ１４）。描画消去中を示すフラグがＯＦＦに設定されていると判定した場合には（ステップＳ１４：Ｙｅｓ）、制御部１０３は、フレームメモリー１１５に展開されている描画像２１０を、記憶部１０５に一時的に格納する（ステップＳ１５）。記憶部１０５は、フレームメモリー１１５のバックアップ用メモリーとして機能し、記憶部１０５に格納された描画像１０５Ｂは、書き換え可能に記憶される。また、記憶部１０５に格納された描画像１０５Ｂには、座標情報が紐づけられて記憶されている。
続いて、制御部１０３は、画像処理ユニット１１０を制御し、フレームメモリー１１５の描画像２１０を消去する（ステップＳ１６）。次に制御部１０３は、描画消去中を示すフラグをＯＮにし（ステップＳ１７）、続いて、シャッター閉時処理が処理済みであることを示すフラグをＯＮにして(ステップＳ１８)、動作を終了する。
【００４２】
レンズシャッター４２が閉じていて（ステップＳ１２：Ｙｅｓ）、シャッター閉時処理が処理済みではなく（ステップＳ１３：Ｙｅｓ）、且つ、描画消去中を示すフラグがＯＦＦに設定されていない、つまり、描画消去中であると判定した場合には（ステップＳ１４：Ｎｏ）、制御部１０３は、フレームメモリー１１５の描画像（不図示）を消去する（ステップＳ２１）。続いて、制御部１０３は、記憶部１０５に格納された描画像１０５Ｂをフレームメモリー１１５に展開する（ステップＳ２２）。そして、制御部１０３は、記憶部１０５の描画像１０５Ｂに記憶されたバックアップ用メモリーを初期化し、描画像１０５Ｂを消去する（ステップＳ２３）。次に、制御部１０３は、描画消去中を示すフラグをＯＦＦに設定し（ステップＳ２４）、続いて、シャッター閉時処理が処理済みであることを示すフラグをＯＮにして(ステップＳ１８)、動作を終了する。
【００４３】
図５は、これらの制御部１０３の機能による表示制御装置１０の動作により、スクリーンＳＣに表示される画像の変化を示す図である。図５（Ａ）に示すように、表示制御装置１０は、指示体７０の指示位置に基づいて描画した描画像２１０を、表示制御部１０７の機能により、スクリーンＳＣに表示された基画像２００に重畳して表示させることができる。ユーザー操作により、レンズシャッター４２が閉じられると、投射部３０から投射される画像光４３が遮蔽されるため、図５（Ｂ）に示すように、スクリーンＳＣには画像が非表示の状態となる。
レンズシャッター４２が閉じられたことを開閉検出部１０３Ａの機能により検出すると、制御部１０３は、描画像２１０のみを消去した画像をフレームメモリー１１５に展開する制御情報を画像処理ユニット１１０に出力して、次にレンズシャッター４２が開かれた場合にスクリーンＳＣに表示する画像を変更する。なお、ＰＣ１３に指示体７０の指示位置の座標に基づく処理を実行させるＰＣインターラクティブモードを実行している際には、制御部１０３は、ＰＣ１３に出力部１０１を介して、次にレンズシャッター４２が開かれた場合にスクリーンＳＣに表示する画像を変更する制御情報を出力する構成であっても良い。このように、制御部１０３は、レンズシャッター４２を閉じる動作に連動させて、指示体７０の指示位置に基づいて描画した描画像２１０を消去し、次にレンズシャッター４２が開かれた際には、図５（Ｃ）に示すように、基画像２００のみがスクリーンＳＣに表示される。
【００４４】
図示は省略するが、ユーザーは、描画像２１０が消去中の基画像２００上に、指示体７０の指示位置に応じた別の画像を描画することができる。そして、レンズシャッター４２を閉じて開く操作を行った後に、再びレンズシャッター４２を閉じると、投射部３０から投射される画像光４３が遮蔽されるため、図５（Ｄ）に示すように、スクリーンＳＣには画像が非表示の状態となる。
レンズシャッター４２が閉じて開かれた後に再び閉じられたことを開閉検出部１０３Ａの機能により検出すると、制御部１０３は、フレームメモリー１１５の描画像を消去する制御情報を画像処理ユニット１１０に出力し、続いて、記憶部１０５に一時的に格納した前回レンズシャッター４２を閉じて開く操作を行った時にフレームメモリー１１５から消去した描画像１０５Ｂを再びフレームメモリー１１５に展開する。これにより、制御部１０３は、次にレンズシャッター４２が開かれた場合にスクリーンＳＣに表示する画像を変更し、次にレンズシャッター４２が開かれた際には、図５（Ｅ）に示すように、基画像２００と描画像２１０とが重畳表示された画像がスクリーンＳＣに表示される。
この構成によれば、スクリーンＳＣに基画像２００と描画像２１０とを重畳表示している際に、レンズシャッター４２を閉じて開く操作を行った後に、再度一旦レンズシャッター４２を閉じて、再び開くという簡単な操作で、消去された描画像２１０を、再び基画像２００に重畳させて表示することができる。これにより、例えば、表示制御装置１０のインターラクブホワイトボードシステム機能を用いて、学校での授業中や、ビジネスの場においてのプレゼンテーション中に、基画像２００に重畳させて表示するように書き加えた描画像２１０を、表示／消去／表示させて、基画像２００と、基画像２００に描画像２１０が重畳された重畳画像とを見比べるべく表示させることができる。このように、描画像２１０を、消したり、再表示させたりという操作を、レンズシャッター４２を閉じて開くという簡単な操作で行うことができため、表示制御装置１０の利便性を向上することができる。
【００４５】
以上説明したように、本発明を適用した実施形態における表示制御装置１０は、画像光４３によりスクリーンＳＣに画像を表示する投射部３０と、画像光４３を遮蔽する、開閉可能なレンズシャッター４２と、レンズシャッター４２の開閉を検出する開閉検出部１０３Ａと、開閉検出部１０３Ａにより、レンズシャッター４２が閉じられたことを検出した際に、次にレンズシャッター４２が開かれた場合にスクリーンＳＣに表示する画像を変更する制御情報を出力する制御部１０３と、を備えた。この構成によれば、レンズシャッター４２を閉じて開くという操作に連動させて、スクリーンＳＣに表示する画像を変更することができる。よって、レンズシャッターを閉じて開くという簡単な操作で、スクリーンＳＣに表示させる画像を変更することができ、操作性及び利便性を向上することができる。
【００４６】
また、スクリーンＳＣにおける指示体７０の指示位置を検出する位置検出ユニット１５０と、位置検出ユニット１５０により検出された指示位置に基づいて画像を描画する画像処理部１１３と、画像処理部１１３が描画した画像を、投射部３０によりスクリーンＳＣに表示された基画像２００に重畳して表示させる表示制御部１０７と、を備え、制御部１０３は、開閉検出部１０３Ａによりレンズシャッター４２が閉じられたことが検出された際に、投射部３０により基画像２００のみをスクリーンＳＣに表示させる制御情報を出力する。この構成によれば、レンズシャッター４２の開閉に連動させて、指示体７０の指示位置に基づいて描画された描画像２１０を、スクリーンＳＣから消して、基画像２００のみを表示させることができる。よって、レンズシャッター４２を開閉するという簡単な操作で、スクリーンＳＣに表示する画像を変更することができ、スクリーンＳＣに表示する画像に対する操作の操作性を向上することができる。
【００４７】
また、表示制御部１０７は、レンズシャッター４２が再び閉じられて開かれた場合に、投射部３０により、レンズシャッター４２を閉じて開く操作に応じてスクリーンＳＣから消去された重畳画像である描画像２１０を再表示させる。この構成によれば、レンズシャッター４２を閉じて開いた後に、再び閉じて開くという簡単な操作に連動させて、スクリーンＳＣから消去された、指示体７０の指示位置に基づく描画像２１０を、基画像２００に重畳させて再表示させることができる。よって、レンズシャッター４２を閉じて開くという簡単な操作でスクリーンＳＣに重畳表示された描画像２１０を非表示／再表示させることができ、スクリーンＳＣに表示される画像に対する操作の操作性を向上することができる。
【００４８】
なお、上記実施形態は本発明を適用した具体的態様の例に過ぎず、本発明を限定するものではなく、上記実施形態とは異なる態様として本発明を適用することも可能である。例えば、指示体７０は、ペン型の操作デバイスである構成の他に、棒形状の操作デバイスであっても良く、位置検出処理部１５７は、棒形状の操作デバイスの先端がスクリーンＳＣに接触していることを検知して、位置指示操作のオン・オフを検知する構成であってもよい。また、指示体７０は、指やレーザーポインター等のポインターであってもよい。また、複数の指示体７０を備え、各々の指示体７０に異なる機能を割り当てて、同一の操作領域に対する同様の操作であっても、指示体７０によって異なる機能を操作することができる構成であってもよい。また、異種の指示体７０との組み合わせによって、同一の操作領域に対する同様の操作であっても、異なる機能を操作することができる構成であってもよい。
【００４９】
また、上記実施形態の構成において、位置検出ユニット１５０が有する撮像部１５３及び撮影制御部１５５を、プロジェクター１１に外部接続されたデジタルカメラにより代替することも可能である。この場合のデジタルカメラは、制御部１０３の制御により撮影を実行して撮影画像データを位置検出処理部１５７に出力するものであればよい。また、このデジタルカメラとプロジェクター１１とを接続するインターフェイスとしてはＵＳＢ等の汎用インターフェイスを利用できるので、容易に実現可能である。
また、撮像部１５３は、非可視光（赤外光など）を撮像可能な構成であっても良く、非可視光を撮像可能な場合には、指示体７０が非可視光を射出して、撮像部１５３が指示体７０から射出された非可視光を撮像する構成や、指示体７０が非可視光を反射可能な反射部を備えており、制御部１０３の制御によってプロジェクター１１からスクリーンＳＣに対して非可視光を投射し、指示体７０の反射部によって反射された非可視光を撮像部１５３によって撮像する構成等を採用することができる。
【００５０】
また、上記実施形態では、光源が発した光を変調する手段として、光変調装置３２がＲＧＢの各色に対応した３枚の透過型の液晶パネルを用いた構成を例に挙げて説明したが、本発明はこれに限定されるものではなく、例えば、反射型の液晶パネルを用いてもよいし、デジタルミラーデバイス（ＤＭＤ）を用いた方式、デジタルミラーデバイスとカラーホイールを組み合わせた方式等により構成してもよい。ここで、表示部として１枚の液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。さらに、スクリーンＳＣの背面側から画像光を投射する背面投射型のプロジェクターとしてもよい。
【００５１】
また、本発明の表示装置は、スクリーンＳＣに画像を投射するプロジェクターに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当し、その表示画面が表示面に相当する。
さらに、上記実施形態の構成では、位置検出ユニット１５０が撮影画像データに基づいて指示体７０による指示位置を検出する構成を例に挙げて説明したが、本発明はこれに限定されず、例えば、表示面としてのスクリーンＳＣ或いは他の表示方式における表示画面に、感圧式や静電容量式のタッチパネルを設け、このタッチパネルによって指示体７０としてのユーザーの指や棒体等の接触を検出する構成としてもよい。また、指示体が発する赤外線信号を検出して指示位置を特定する方法や、スクリーンＳＣ上に設けられた複数の装置により指示体までの距離を検出することで、指示位置を特定する方法を採用してもよい。
【００５２】
また、図１示した表示制御装置１０の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１１及びＰＣ１３を含む表示制御装置１０の他の各部の具体的な細部構成についても、本発明の趣旨を逸脱しない範囲で任意に変更可能である。
また、上記実施形態において記憶部１０５が記憶していた制御プログラム１０５Ａを、プロジェクター１１が通信ネットワークを介して接続された他の装置からダウンロードして実行してもよいし、可搬型の記録媒体に制御プログラム１０５Ａを記録して、この記録媒体から上記各プログラムを読み取って実行する構成としてもよい。
【符号の説明】
【００５３】
３…投射ユニット（表示部）、１０…表示制御装置、１１…プロジェクター、３０…表示部、３１…照明光学系、３２…光変調装置、３３…投射光学系、４２…レンズシャッター（シャッター機構）、４３…画像光、７０…指示体、１０３…制御部、１０３Ａ…開閉検出部、１０５…記憶部、１０７…表示制御部、１１３…画像処理部（描画部）、１１０…画像処理ユニット、１５０…位置検出ユニット、１５３…撮像部、２００…基画像、２１０…描画像（重畳画像）、ＳＣ…スクリーン（表示面）。
【図１】
2014119530.tif 000003
【図２】
2014119530.tif 000004
【図３】
2014119530.tif 000005
【図４】
2014119530.tif 000006
【図５】
2014119530.tif 000007